(57)【要約】      （修正有）【課題】システム電源管理カードを内蔵するコンピュータマザーボードを提供する。【解決手段】システム電源管理カード２０は印刷回路板２１とハードウエアセンサーを含む。印刷回路板は少なくとも第一電源コネクター２２、第二電源コネクター２３、少なくとも１個以上の探知回路を設置する。該第一電源コネクターはパワーサプライ１０に電気的に連接し、該第二電源コネクターはコンピュータマザーボード３０の電源コネクターに電気的に連接する。該各探知回路の入力端は該第一電源コネクターにそれぞれ電気的に連接する。該ハードウエアセンサーは該各探知回路の出力端に電気的に連接し、該各探知回路出力端が出力する該各電気信号を対応するデジタル信号に転換し、該各デジタル信号をツーワイヤーバス（ｔｗｏ−ｗｉｒｅ Ｂｕｓ）を通してコンピュータマザーボードに伝送する。【選択図】図１
0003144176.tif 000002
【実用新案登録請求の範囲】
【請求項１】
印刷回路板と、
前記印刷回路板上に固設し、パワーサプライに電気的に連接する第一電源コネクターと、
前記印刷回路板上に固設し、コンピュータマザーボードの電源コネクターに電気的に連接する第二電源コネクターと、
前記印刷回路板上に設置し、その入力端は前記第一電源コネクターに電気的に連接する少なくとも１個以上の探知回路と、
前記印刷回路板上に固設し、前記各探知回路の出力端に電気的に連接し、前記各探知回路出力端が出力する前記各電気信号を対応するデジタル信号に転換し、前記各デジタル信号をツーワイヤーバスを通してコンピュータマザーボードに伝送するハードウエアセンサーと、
を含むことを特徴とするシステム電源管理カード。
【請求項２】
前記システム電源管理カードはさらに少なくとも１個以上の表示ユニットを含み、前記ハードウエアセンサーに電気的に連接することを特徴とする請求項１記載のシステム電源管理カード。
【請求項３】
前記システム電源管理カードはさらに少なくとも１個以上の受動ユニットを含み、前記ハードウエアセンサーに電気的に連接することを特徴とする請求項１記載のシステム電源管理カード。
【請求項４】
前記システム電源管理カードはさらに少なくとも１個以上の電気抵抗を含み、前記各電気抵抗の両端は対応する探知回路の第一入力端と第二入力端にそれぞれ連接し、前記各電気抵抗は前記印刷回路板に設置することを特徴とする請求項１記載のシステム電源管理カード。
【請求項５】
前記ツーワイヤーバスはシステム管理バス或いはＩ2Ｃであることを特徴とする請求項１記載のシステム電源管理カード。
【請求項６】
前記デジタル信号は３Ｖ即時電圧値デジタル信号、５Ｖ即時電圧値デジタル信号、１２Ｖ即時電圧値デジタル信号、３Ｖ即時電流値デジタル信号、５Ｖ即時電流値デジタル信号、１２Ｖ即時電流値デジタル信号を含むことを特徴とする請求項１記載のシステム電源管理カード。
【請求項７】
前記ツーワイヤーバスは双方向式ツーワイヤーバスであることを特徴とする請求項１記載のシステム電源管理カード。
【請求項８】
システム電源管理回路を内蔵するコンピュータマザーボードは、
マザーボードと、
前記印刷回路板上に設置し、その入力端は前記マザーボードの電源コネクターに電気的に連接する少なくとも１個以上の探知回路と、
前記マザーボード上に固設し、前記各探知回路の出力端に電気的に連接し、前記各探知回路出力端が出力する前記各電気信号を対応するデジタル信号に転換し、前記各デジタル信号を前記マザーボードのツーワイヤーバスを通してマザーボードの対応するチップに伝送するハードウエアセンサーと、を含むことを特徴とするシステム電源管理回路を内蔵するコンピュータマザーボード。
【請求項９】
前記システム電源管理回路を内蔵するコンピュータマザーボードはさらに少なくとも１個以上の表示ユニットを含み、前記ハードウエアセンサーに電気的に連接することを特徴とする請求項８記載のシステム電源管理回路を内蔵するコンピュータマザーボード。
【請求項１０】
前記システム電源管理回路を内蔵するコンピュータマザーボードはさらに少なくとも１個以上の表示ユニットを含み、前記ハードウエアセンサーに電気的に連接することを特徴とする請求項８記載のシステム電源管理回路を内蔵するコンピュータマザーボード。
【請求項１１】
前記システム電源管理回路を内蔵するコンピュータマザーボードはさらに少なくとも１個以上の電気抵抗を含み、前記各電気抵抗の両端は対応する探知回路の第一入力端と第二入力端にそれぞれ連接し、前記各電気抵抗は前記マザーボードに設置することを特徴とする請求項８記載のシステム電源管理回路を内蔵するコンピュータマザーボード。
【請求項１２】
前記ツーワイヤーバスはシステム管理バス或いはＩ2Ｃであることを特徴とする請求項８記載のシステム電源管理回路を内蔵するコンピュータマザーボード。
【請求項１３】
前記マザーボードの対応するチップはシステム管理バスコントローラーであることを特徴とする請求項８記載のシステム電源管理回路を内蔵するコンピュータマザーボード。
【請求項１４】
前記デジタル信号は３Ｖ即時電圧値デジタル信号、５Ｖ即時電圧値デジタル信号、１２Ｖ即時電圧値デジタル信号、３Ｖ即時電流値デジタル信号、５Ｖ即時電流値デジタル信号、１２Ｖ即時電流値デジタル信号を含むことを特徴とする請求項８記載のシステム電源管理回路を内蔵するコンピュータマザーボード。
【請求項１５】
前記ツーワイヤーバスは双方向式ツーワイヤーバスであることを特徴とする請求項８記載のシステム電源管理回路を内蔵するコンピュータマザーボード。
【考案の詳細な説明】
【技術分野】
【０００１】
本考案はシステム電源管理カードに関する。特にコンピュータマザーボードに外付け或いは内蔵し、コンピュータマザーボードの即時電圧、即時電流、即時消費電力を測定し、しかもツーワイヤーバス（ｔｗｏ−ｗｉｒｅ Ｂｕｓ）を利用しコンピュータマザーボードに対して伝送を行い、それが採用するマザーボードは双方向式であるシステム電源管理カードと該カードを内蔵するコンピュータマザーボードに係る。
【背景技術】
【０００２】
特許文献１は「パワーサプライ出力電力を測定する装置と方法（Ａｐｐａｒａｔｕｓ  ａｎｄ  ｍｅｔｈｏｄ  ｆｏｒ  ｍｅａｓｕｒｉｎｇ  ａｎ  ｏｕｔｐｕｔ  ｐｏｗｅｒ  ａ  ｐｏｗｅｒ  ｓｕｐｐｌｙ）」はパワーサプライの出力電力を測定するサーキットボード（Ｃｉｒｃｕｉｔ ｂｏａｒｄ）と混合メーター（Ｍｅｔｅｒ）により組成する測定装置を掲示している。特許文献１の測定装置はパワーサプライがコンピュータマザーボードに供給する電流値、電圧値、電力値を測定することができ、パワーサプライが実際の要求を満たしているか否かを即時に確定することができる。
【０００３】
しかし、該測定装置には以下の欠点が存在する。
１．サーキットボードは別に混合メーターを対応させる必要があり、さもなくば電圧、電流、電力の測定を行うことができない。そのため測定装置の全体体積と測定コストを拡大してしまっている。
２．パワーサプライの各単独電源（３Ｖ、５Ｖ、１２Ｖ等）において、各単独電源は２本の導線によりサーキットボードと混合メーターを接続する必要があり、３Ｖ、５Ｖ、１２Ｖの３個の単独電源を例とすると、６本の導線を使用しなければならない。よって導線接続の複雑性を増大させてしまう。
３．サーキットボード、混合メーター、パワーサプライ、コンピュータマザーボード間の回路は一方向にしか信号を伝送することができないため、使用上の利便性をそなえているとは言えない。
４．混合メーターはサーキットボード上の電圧、電量、電力の信号だけを収集、記録することができ、コンピュータマザーボードとの接続がないため、コンピュータマザーボードは収集した信号を利用することができない。
【０００４】
【特許文献１】米国特許第ＵＳ２００８／００１８３２５号明細書
【考案の開示】
【考案が解決しようとする課題】
【０００５】
本考案者は上記測定装置の欠点に鑑み、システム電源管理カードと該カードを内蔵するコンピュータマザーボードの開発を志すものである。
【０００６】
本考案が解決しようとする第一の課題は、外付け方式によりパワーサプライとコンピュータマザーボードの間に挿入設置し、パワーサプライがコンピュータマザーボードに供給する即時電流値、即時電圧値を測定し、しかもツーワイヤーバス（ｔｗｏ−ｗｉｒｅ Ｂｕｓ）を利用し即時電流データ、即時電圧データをコンピュータマザーボードに伝送し、それが採用するツーワイヤーバスは双方向式（注：ここではＩ2Ｃ或いはＳＭ Ｂｕｓの採用を強調する必要はない）であるシステム電源管理カードを提供する。
【０００７】
本考案が解決しようとする第二の課題は、内蔵システム電源管理カードはパワーサプライがコンピュータマザーボードに供給する即時電流値、即時電圧値を測定することができ、ツーワイヤーバス（ｔｗｏ−ｗｉｒｅ Ｂｕｓ）を利用し即時電流データ、即時電圧データをコンピュータマザーボードに伝送し、それが採用するツーワイヤーバスは双方向式であるシステム電源管理カードを内蔵するコンピュータマザーボードを提供することである。
【０００８】
上記課題を解決するため、本考案は下記のシステム電源管理カードと該カードを内蔵するコンピュータマザーボードを提供する。
システム電源管理カードは印刷回路板とハードウエアセンサーを含み、
該印刷回路板は少なくとも第一電源コネクター、第二電源コネクター、少なくとも１個以上の探知回路、該ハードウエアセンサーを設置し、
該第一電源コネクターはパワーサプライに電気的に連接し、該第二電源コネクターはコンピュータマザーボードの電源コネクターに電気的に連接し、
該各探知回路の入力端は該第一電源コネクターにそれぞれ電気的に連接し、
該ハードウエアセンサーは該各探知回路の出力端に電気的に連接し、該各探知回路出力端が出力する該各電気信号を対応するデジタル信号に転換し、該各デジタル信号をツーワイヤーバス（ｔｗｏ−ｗｉｒｅ Ｂｕｓ）を通してコンピュータマザーボードに伝送する。
【課題を解決するための手段】
【０００９】
請求項１の考案は、
印刷回路板と、
前記印刷回路板上に固設し、パワーサプライに電気的に連接する第一電源コネクターと、
前記印刷回路板上に固設し、コンピュータマザーボードの電源コネクターに電気的に連接する第二電源コネクターと、
前記印刷回路板上に設置し、その入力端は前記第一電源コネクターに電気的に連接する少なくとも１個以上の探知回路と、
前記印刷回路板上に固設し、前記各探知回路の出力端に電気的に連接し、前記各探知回路出力端が出力する前記各電気信号を対応するデジタル信号に転換し、前記各デジタル信号をツーワイヤーバスを通してコンピュータマザーボードに伝送するハードウエアセンサーと、
を含むことを特徴とするシステム電源管理カードとしている。
請求項２の考案は、前記システム電源管理カードはさらに少なくとも１個以上の表示ユニットを含み、前記ハードウエアセンサーに電気的に連接することを特徴とする請求項１記載のシステム電源管理カードとしている。
請求項３の考案は、前記システム電源管理カードはさらに少なくとも１個以上の受動ユニットを含み、前記ハードウエアセンサーに電気的に連接することを特徴とする請求項１記載のシステム電源管理カードとしている。
請求項４の考案は、前記システム電源管理カードはさらに少なくとも１個以上の電気抵抗を含み、前記各電気抵抗の両端は対応する探知回路の第一入力端と第二入力端にそれぞれ連接し、前記各電気抵抗は前記印刷回路板に設置することを特徴とする請求項１記載のシステム電源管理カードとしている。
請求項５の考案は、前記ツーワイヤーバスはシステム管理バス或いはI2Cであることを特徴とする請求項１記載のシステム電源管理カードとしている。
請求項６の考案は、前記デジタル信号は３Ｖ即時電圧値デジタル信号、５Ｖ即時電圧値デジタル信号、１２Ｖ即時電圧値デジタル信号、３Ｖ即時電流値デジタル信号、５Ｖ即時電流値デジタル信号、１２Ｖ即時電流値デジタル信号を含むことを特徴とする請求項１記載のシステム電源管理カードとしている。
請求項７の考案は、前記ツーワイヤーバスは双方向式ツーワイヤーバスであることを特徴とする請求項１記載のシステム電源管理カードとしている。
請求項８の考案は、システム電源管理回路を内蔵するコンピュータマザーボードは、
マザーボードと、
前記印刷回路板上に設置し、その入力端は前記マザーボードの電源コネクターに電気的に連接する少なくとも１個以上の探知回路と、
前記マザーボード上に固設し、前記各探知回路の出力端に電気的に連接し、前記各探知回路出力端が出力する前記各電気信号を対応するデジタル信号に転換し、前記各デジタル信号を前記マザーボードのツーワイヤーバスを通してマザーボードの対応するチップに伝送するハードウエアセンサーと、を含むことを特徴とするシステム電源管理回路を内蔵するコンピュータマザーボードとしている。
請求項９の考案は、前記システム電源管理回路を内蔵するコンピュータマザーボードはさらに少なくとも１個以上の表示ユニットを含み、前記ハードウエアセンサーに電気的に連接することを特徴とする請求項８記載のシステム電源管理回路を内蔵するコンピュータマザーボードとしている。
請求項１０の考案は、前記システム電源管理回路を内蔵するコンピュータマザーボードはさらに少なくとも１個以上の表示ユニットを含み、前記ハードウエアセンサーに電気的に連接することを特徴とする請求項８記載のシステム電源管理回路を内蔵するコンピュータマザーボードとしている。
請求項１１の考案は、前記システム電源管理回路を内蔵するコンピュータマザーボードはさらに少なくとも１個以上の電気抵抗を含み、前記各電気抵抗の両端は対応する探知回路の第一入力端と第二入力端にそれぞれ連接し、前記各電気抵抗は前記マザーボードに設置することを特徴とする請求項８記載のシステム電源管理回路を内蔵するコンピュータマザーボードとしている。
請求項１２の考案は、前記ツーワイヤーバスはシステム管理バス（ＳＭ Ｂｕｓ）或いはI2Cであることを特徴とする請求項８記載のシステム電源管理回路を内蔵するコンピュータマザーボードとしている。
請求項１３の考案は、前記マザーボードの対応するチップはシステム管理バスコントローラーであることを特徴とする請求項８記載のシステム電源管理回路を内蔵するコンピュータマザーボードとしている。
請求項１４の考案は、前記デジタル信号は３Ｖ即時電圧値デジタル信号、５Ｖ即時電圧値デジタル信号、１２Ｖ即時電圧値デジタル信号、３Ｖ即時電流値デジタル信号、５Ｖ即時電流値デジタル信号、１２Ｖ即時電流値デジタル信号を含むことを特徴とする請求項８記載のシステム電源管理回路を内蔵するコンピュータマザーボードとしている。
請求項１５の考案は、前記ツーワイヤーバスは双方向式ツーワイヤーバスであることを特徴とする請求項８記載のシステム電源管理回路を内蔵するコンピュータマザーボードとしている。
【考案の効果】
【００１０】
本考案は以下のような実用の長所と効果を備える。
１．本考案システムサーキットボードとシステム電源管理カードを内蔵するコンピュータマザーボードは、混合メーターを対応させる必要がないため、全体体積を縮小可能で、測定コストを低下させることができる。
２．本考案システムサーキットボードはツーワイヤーバス（ｔｗｏ−ｗｉｒｅ Ｂｕｓ）を採用しコンピュータマザーボードに接続するため、採用するツーワイヤーバスは双方向式で、Ｉ2Ｃ或いはシステム管理バス等である。これにより使用導線の本数を大幅に減少させることができ、よって製造コストと導線接続の複雑性を低下させることができる。
３．本考案システムサーキットボードはツーワイヤーバス（ｔｗｏ−ｗｉｒｅ Ｂｕｓ）を採用しコンピュータマザーボードに接続するため、採用するツーワイヤーバスは双方向式で、I2C或いはシステム管理バス等である。これにより、公知技術では情報を一方向にしか伝送できなかった欠点を改善し、情報は双方向に伝送され、さらにシステムサーキットボードとマザーボード双方向コミュニケーション制御の目的を達成することができる。
４．本考案はコンピュータマザーボードと極めて簡単に結合し使用することができるため、コンピュータマザーボードの付加価値を高めることができる。
【考案を実施するための最良の形態】
【００１１】
図１は本考案システム電源管理カードがパワーサプライとコンピュータマザーボード間に接続する概略図で、図２はシステム電源管理カードの回路図である。図１、図２に示すように、本考案システム電源管理カード２０は一枚の小さな回路板として製造し、ホットスワッピング方式により挿入接続する方式で、コンピュータマザーボード３０の電源コネクター３６に直接挿入接続する。該システム電源管理カード２０は印刷回路板２１とハードウエアセンサー２７を含む。該印刷回路板２１上には第一電源コネクター２２、第二電源コネクター２３、少なくとも１個以上の探知回路２５、少なくとも１個以上の電気抵抗２６、ハードウエアセンサー２７を設置する。該第一電源コネクター２２は該パワーサプライ１０と電気的に連接し、該第二電源コネクター２３は該コンピュータマザーボード３０の電源コネクター３６と電気的に連接する。該ハードウエアセンサー２７のツーワイヤーバス２７ａの信号端子は該コンピュータマザーボード３０のツーワイヤーバスの連接端と電気的に連接する。ツーワイヤーバス（ｔｗｏ−ｗｉｒｅ Ｂｕｓ）２７ａの伝送通道を通して、該ハードウエアセンサー２７は該コンピュータマザーボード３０と双方向伝送を行うことができる。それが採用するツーワイヤーバスはI2C（Ｉｎｔｅｒ−Ｉｎｔｅｇｒａｔｅｄ  Ｃｉｒｃｕｉｔ）或いはシステム管理バス（ＳＭ Ｂｕｓ−Ｓｙｓｔｅｍ Ｍａｎａｇｅｍｅｎｔ  Ｂｕｓ）等である。
【００１２】
該パワーサプライ１０の３Ｖ電圧源、５Ｖ電圧源、１２Ｖ電圧源は該第一電源コネクター２２の対応端子、対応する探知回路２５の第一入力端２５ａ、対応する電気抵抗２６の一端にそれぞれ連接する。対応する探知回路２５の第二入力端２５ｂは対応する電気抵抗２６のもう一方の端にそれぞれ連接し、しかも該各電気抵抗２６のもう一方の端は電源コネクター３６の対応端子にも同時に連接する。
【００１３】
該探知回路２５の機能は、各探知点の電圧と電流を探知し、該ハードウエアセンサー２７が受信可能な信号に転換することである。その実施例回路は公知の技術を採用することができる。該電気抵抗２６の電気抵抗値は、コンピュータマザーボード３０の電気抵抗値よりはるかに小さい。
【００１４】
該各探知回路２５の出力端２５ｃはハードウエアセンサー２７の対応する入力端にそれぞれ連接する。該ハードウエアセンサー２７は該印刷回路板２１上に溶接し、その機能は該各探知回路２５出力端２５ｃが出力する３Ｖ即時電圧信号、３Ｖ即時電流信号、５Ｖ即時電圧信号、５Ｖ即時電流信号、１２Ｖ即時電圧信号、１２Ｖ即時電流信号等の該各電気信号を対応するデジタル信号に転換することである。該ハードウエアセンサー２７の別の機能は、該各デジタル信号をツーワイヤーバス２７ａを通してコンピュータマザーボード３０に伝送することである。該ハードウエアセンサー２７はWINBONDTM社生産の「W８３L７８５R」チップ等の公知技術を採用することができる。
【００１５】
上記ツーワイヤーバス２７ａは公知技術を採用することができ、それが採用するツーワイヤーバスは双方向式で、Ｉ2Ｃ（Ｉｎｔｅｒ−Ｉｎｔｅｇｒａｔｅｄ  Ｃｉｒｃｕｉｔ）或いはシステム管理バス（ＳＭ Ｂｕｓ−Ｓｙｓｔｅｍ  Ｍａｎａｇｅｍｅｎｔ  Ｂｕｓ）等である。
【００１６】
該電源コネクター１０が３Ｖ、５Ｖ、或いは１２Ｖの電圧を出力する時、該各電気抵抗２６の抵抗値は既知であるため、電流と電圧の関係I=Ｖ/Rに基づけば、該各電気抵抗２６を流れる電流値を求めることができる。電力公式P=I×Ｖに基づけば、出力電力を求めることができる。
【００１７】
さらに、各受動或いは表示ユニット２４は該ハードウエアセンサー２７に連接する。該受動或いは表示ユニット２４は少なくとも３Ｖ電圧源、５Ｖ電圧源、１２Ｖ電圧源の測定状態をそれぞれ表示する。該受動或いは表示ユニット２４は具体的には、単一の発光ダイオード、有機発光ダイオード（ＯＬＥＤ）ディスプレー、マイナスイオン発生器、サウンド出力ユニット等を採用することができる。
【００１８】
該コンピュータマザーボード３０のシステム管理バスコントローラー（ＳＭ Ｂｕｓ Controller）３１は該ハードウエアセンサー２７が伝送するＳＭ Ｂｕｓデジタル信号を受信する。該各ＳＭ Ｂｕｓデジタル信号は少なくとも３Ｖ/５Ｖ/１２Ｖ即時電圧値及び３Ｖ/５Ｖ/１２Ｖ即時電流値を表すＳＭ Ｂｕｓデジタル信号である。ＣＰＵ３３はプログラムコード（ＢＩＯＳ、ドライバープログラム、或いはアプリケーションプログラム等）の執行方式により、該各ＳＭ Ｂｕｓデジタル信号を読み取る。続いて、プログラムコードの執行方式により、該コンピュータマザーボード３０現在の３Ｖ即時電圧信号、３Ｖ即時電流信号、５Ｖ即時電圧信号、５Ｖ即時電流信号、１２Ｖ即時電圧信号、１２Ｖ即時電流信号、及び各項電圧の消費電力等のパラメーターをモニター上に表示する。或いは、入力出力コントローラー（Ｓｕｐｅｒ  Ｉ／Ｏ    Ｃｏｎｔｒｏｌｌｅｒ）３４を通して、感知状態を該受動或いは表示ユニット３５に出力する。
【００１９】
該受動或いは表示ユニット３５は少なくとも３Ｖ電圧源、５Ｖ電圧源、１２Ｖ電圧源の測定状態を表示する。該受動或いは表示ユニット３５は具体的には、単一の発光ダイオード、有機発光ダイオード（ＯＬＥＤ）ディスプレー、マイナスイオン発生器、サウンド出力ユニット、ＣＰＵファン、或いはシステムファン等の回転速度制御等を採用することができる。
【００２０】
図３は本考案システム電源管理カードを内蔵するコンピュータマザーボードがパワーサプライに接続する概略図で、図４はシステム電源管理カードを内蔵するコンピュータマザーボードの回路図である。本実施例中では、図２の外付け式のシステム電源管理カードの回路をコンピュータマザーボード３０に直接内蔵する。しかも該コンピュータマザーボード３０の電源コネクター３６はパワーサプライ１０、コンピュータマザーボード３０、内蔵式システム電源管理カード２０の回路に電気的に連接する。内蔵方式を採用するため、印刷回路板２１、第一コネクター２２、第二コネクター２３は省くことができる。
【００２１】
該パワーサプライ１０は該電源コネクター３６に直接電気的に連接し、該ハードウエアセンサー２７のツーワイヤーバス２７ａの信号端子は該コンピュータマザーボード３０に電気的に連接する。
【図面の簡単な説明】
【００２２】
【図１】本考案システム電源管理カードがパワーサプライとコンピュータマザーボード間に接続する概略図である。
【図２】システム電源管理カードの回路図である。
【図３】本考案システム電源管理カードを内蔵するコンピュータマザーボードがパワーサプライに接続する概略図である。
【図４】システム電源管理カードを内蔵するコンピュータマザーボードの回路図である。
【符号の説明】
【００２３】
１０  パワーサプライ
２０  システム電源管理カード
２１  印刷回路板
２２  第一電源コネクター
２３  第二電源コネクター
２４  受動或いは表示ユニット
２５  探知回路
２５ａ  第一入力端
２５ｂ  第二入力端
２５ｃ  出力端
２６  電気抵抗
２７  ハードウエアセンサー
２７ａ  ツーワイヤーバス
３０  コンピュータマザーボード
３１  システム管理バスコントローラー
３２  ノースブリッジ
３３  ＣＰＵ
３４  入力出力コントローラー
３５  受動或いは表示ユニット
３６  電源コネクター
【図１】
0003144176.tif 000003
【図２】
0003144176.tif 000004
【図３】
0003144176.tif 000005
【図４】
0003144176.tif 000006
【手続補正書】
【提出日】平成20年6月12日(2008.6.12)
【手続補正１】
【補正対象書類名】実用新案登録請求の範囲
【補正対象項目名】全文
【補正方法】変更
【補正の内容】
【実用新案登録請求の範囲】
【請求項１】
印刷回路板と、
前記印刷回路板上に固設し、パワーサプライに電気的に連接する第一電源コネクターと、
前記印刷回路板上に固設し、コンピュータマザーボードの電源コネクターに電気的に連接する第二電源コネクターと、
前記印刷回路板上に設置し、その入力端は前記第一電源コネクターに電気的に連接する少なくとも１個以上の探知回路と、
前記印刷回路板上に固設し、前記各探知回路の出力端に電気的に連接し、前記各探知回路出力端が出力する各電気信号を対応するデジタル信号に転換し、前記各デジタル信号をツーワイヤーバスを通してコンピュータマザーボードに伝送するハードウエアセンサーと、
を含むことを特徴とするシステム電源管理カード。
【請求項２】
前記システム電源管理カードはさらに少なくとも１個以上の表示ユニットを含み、前記ハードウエアセンサーに電気的に連接することを特徴とする請求項１記載のシステム電源管理カード。
【請求項３】
前記システム電源管理カードはさらに少なくとも１個以上の受動ユニットを含み、前記ハードウエアセンサーに電気的に連接することを特徴とする請求項１記載のシステム電源管理カード。
【請求項４】
前記システム電源管理カードはさらに少なくとも１個以上の電気抵抗を含み、前記各電気抵抗の両端は対応する探知回路の第一入力端と第二入力端にそれぞれ連接し、前記各電気抵抗は前記印刷回路板に設置することを特徴とする請求項１記載のシステム電源管理カード。
【請求項５】
前記ツーワイヤーバスはシステム管理バス或いはＩ2Ｃであることを特徴とする請求項１記載のシステム電源管理カード。
【請求項６】
前記デジタル信号は３Ｖ即時電圧値デジタル信号、５Ｖ即時電圧値デジタル信号、１２Ｖ即時電圧値デジタル信号、３Ｖ即時電流値デジタル信号、５Ｖ即時電流値デジタル信号、１２Ｖ即時電流値デジタル信号を含むことを特徴とする請求項１記載のシステム電源管理カード。
【請求項７】
前記ツーワイヤーバスは双方向式ツーワイヤーバスであることを特徴とする請求項１記載のシステム電源管理カード。
【請求項８】
マザーボードと、
印刷回路板上に設置し、その入力端は前記マザーボードの電源コネクターに電気的に連接する少なくとも１個以上の探知回路と、
前記マザーボード上に固設し、前記各探知回路の出力端に電気的に連接し、前記各探知回路出力端が出力する各電気信号を対応するデジタル信号に転換し、前記各デジタル信号を前記マザーボードのツーワイヤーバスを通してマザーボードの対応するチップに伝送するハードウエアセンサーと、を含むことを特徴とするシステム電源管理回路を内蔵するコンピュータマザーボード。
【請求項９】
前記システム電源管理回路を内蔵するコンピュータマザーボードはさらに少なくとも１個以上の表示ユニットを含み、前記ハードウエアセンサーに電気的に連接することを特徴とする請求項８記載のシステム電源管理回路を内蔵するコンピュータマザーボード。
【請求項１０】
前記システム電源管理回路を内蔵するコンピュータマザーボードはさらに少なくとも１個以上の受動ユニットを含み、前記ハードウエアセンサーに電気的に連接することを特徴とする請求項８記載のシステム電源管理回路を内蔵するコンピュータマザーボード。
【請求項１１】
前記システム電源管理回路を内蔵するコンピュータマザーボードはさらに少なくとも１個以上の電気抵抗を含み、前記各電気抵抗の両端は対応する探知回路の第一入力端と第二入力端にそれぞれ連接し、前記各電気抵抗は前記マザーボードに設置することを特徴とする請求項８記載のシステム電源管理回路を内蔵するコンピュータマザーボード。
【請求項１２】
前記ツーワイヤーバスはシステム管理バス或いはＩ2Ｃであることを特徴とする請求項８記載のシステム電源管理回路を内蔵するコンピュータマザーボード。
【請求項１３】
前記マザーボードの対応するチップはシステム管理バスコントローラーであることを特徴とする請求項８記載のシステム電源管理回路を内蔵するコンピュータマザーボード。
【請求項１４】
前記デジタル信号は３Ｖ即時電圧値デジタル信号、５Ｖ即時電圧値デジタル信号、１２Ｖ即時電圧値デジタル信号、３Ｖ即時電流値デジタル信号、５Ｖ即時電流値デジタル信号、１２Ｖ即時電流値デジタル信号を含むことを特徴とする請求項８記載のシステム電源管理回路を内蔵するコンピュータマザーボード。
【請求項１５】
前記ツーワイヤーバスは双方向式ツーワイヤーバスであることを特徴とする請求項８記載のシステム電源管理回路を内蔵するコンピュータマザーボード。
【手続補正２】
【補正対象書類名】明細書
【補正対象項目名】０００９
【補正方法】変更
【補正の内容】
【０００９】
請求項１の考案は、印刷回路板と、
前記印刷回路板上に固設し、パワーサプライに電気的に連接する第一電源コネクターと、
前記印刷回路板上に固設し、コンピュータマザーボードの電源コネクターに電気的に連接する第二電源コネクターと、
前記印刷回路板上に設置し、その入力端は前記第一電源コネクターに電気的に連接する少なくとも１個以上の探知回路と、
前記印刷回路板上に固設し、前記各探知回路の出力端に電気的に連接し、前記各探知回路出力端が出力する各電気信号を対応するデジタル信号に転換し、前記各デジタル信号をツーワイヤーバスを通してコンピュータマザーボードに伝送するハードウエアセンサーと、
を含むことを特徴とするシステム電源管理カードとしている。
請求項２の考案は、前記システム電源管理カードはさらに少なくとも１個以上の表示ユニットを含み、前記ハードウエアセンサーに電気的に連接することを特徴とする請求項１記載のシステム電源管理カードとしている。
請求項３の考案は、前記システム電源管理カードはさらに少なくとも１個以上の受動ユニットを含み、前記ハードウエアセンサーに電気的に連接することを特徴とする請求項１記載のシステム電源管理カードとしている。
請求項４の考案は、前記システム電源管理カードはさらに少なくとも１個以上の電気抵抗を含み、前記各電気抵抗の両端は対応する探知回路の第一入力端と第二入力端にそれぞれ連接し、前記各電気抵抗は前記印刷回路板に設置することを特徴とする請求項１記載のシステム電源管理カードとしている。
請求項５の考案は、前記ツーワイヤーバスはシステム管理バス或いはI2Cであることを特徴とする請求項１記載のシステム電源管理カードとしている。
請求項６の考案は、前記デジタル信号は３Ｖ即時電圧値デジタル信号、５Ｖ即時電圧値デジタル信号、１２Ｖ即時電圧値デジタル信号、３Ｖ即時電流値デジタル信号、５Ｖ即時電流値デジタル信号、１２Ｖ即時電流値デジタル信号を含むことを特徴とする請求項１記載のシステム電源管理カードとしている。
請求項７の考案は、前記ツーワイヤーバスは双方向式ツーワイヤーバスであることを特徴とする請求項１記載のシステム電源管理カードとしている。
請求項８の考案は、マザーボードと、
印刷回路板上に設置し、その入力端は前記マザーボードの電源コネクターに電気的に連接する少なくとも１個以上の探知回路と、
前記マザーボード上に固設し、前記各探知回路の出力端に電気的に連接し、前記各探知回路出力端が出力する各電気信号を対応するデジタル信号に転換し、前記各デジタル信号を前記マザーボードのツーワイヤーバスを通してマザーボードの対応するチップに伝送するハードウエアセンサーと、を含むことを特徴とするシステム電源管理回路を内蔵するコンピュータマザーボードとしている。
請求項９の考案は、前記システム電源管理回路を内蔵するコンピュータマザーボードはさらに少なくとも１個以上の表示ユニットを含み、前記ハードウエアセンサーに電気的に連接することを特徴とする請求項８記載のシステム電源管理回路を内蔵するコンピュータマザーボード。
請求項１０の考案は、前記システム電源管理回路を内蔵するコンピュータマザーボードはさらに少なくとも１個以上の受動ユニットを含み、前記ハードウエアセンサーに電気的に連接することを特徴とする請求項８記載のシステム電源管理回路を内蔵するコンピュータマザーボード。
請求項１１の考案は、前記システム電源管理回路を内蔵するコンピュータマザーボードはさらに少なくとも１個以上の電気抵抗を含み、前記各電気抵抗の両端は対応する探知回路の第一入力端と第二入力端にそれぞれ連接し、前記各電気抵抗は前記マザーボードに設置することを特徴とする請求項８記載のシステム電源管理回路を内蔵するコンピュータマザーボードとしている。
請求項１２の考案は、前記ツーワイヤーバスはシステム管理バス（ＳＭ Ｂｕｓ）或いはI2Cであることを特徴とする請求項８記載のシステム電源管理回路を内蔵するコンピュータマザーボードとしている。
請求項１３の考案は、前記マザーボードの対応するチップはシステム管理バスコントローラーであることを特徴とする請求項８記載のシステム電源管理回路を内蔵するコンピュータマザーボードとしている。
請求項１４の考案は、前記デジタル信号は３Ｖ即時電圧値デジタル信号、５Ｖ即時電圧値デジタル信号、１２Ｖ即時電圧値デジタル信号、３Ｖ即時電流値デジタル信号、５Ｖ即時電流値デジタル信号、１２Ｖ即時電流値デジタル信号を含むことを特徴とする請求項８記載のシステム電源管理回路を内蔵するコンピュータマザーボードとしている。
請求項１５の考案は、前記ツーワイヤーバスは双方向式ツーワイヤーバスであることを特徴とする請求項８記載のシステム電源管理回路を内蔵するコンピュータマザーボードとしている。